(57)【要約】【課題】ユーザの操作手順の長大化を招き、通信装置の操作性、利便性を損なうことのない通信装置を提供することを目的とする。【解決手段】ユーザに操作させるための操作ボタン２８と、上記ユーザによる上記操作ボタン２８の所定の操作方法と、所定のパラメータとの組合わせを記憶する記憶装置２７と、上記ユーザにより上記所定の操作方法で上記操作ボタンが操作された場合に、上記記憶装置２７により記憶された組合わせに基づいて上記所定のパラメータを設定するＢｌｕｅｔｏｏｔｈ制御部２５と、上記Ｂｌｕｅｔｏｏｔｈ制御部２５により設定された上記所定のパラメータに基づいて外部と通信するＢｌｕｅｔｏｏｔｈモジュール２２とを備えたことを特徴とする。【選択図】        図１
2004274343.tif 000002
【特許請求の範囲】
【請求項１】
ユーザに操作させるための操作ボタンと、
上記ユーザによる上記操作ボタンの所定の操作方法と、所定のパラメータとの組合わせを記憶する記憶部と、
上記ユーザにより上記所定の操作方法で上記操作ボタンが操作された場合に、上記記憶部により記憶された組合わせに基づいて上記所定のパラメータを設定する設定部と、
上記設定部により設定された上記所定のパラメータに基づいて外部と通信する通信部と
を備えたことを特徴とする通信装置。
【請求項２】
上記通信部は、ブルートゥース（Ｂｌｕｅｔｏｏｔｈ）デバイスを備え、
上記記憶部は、所定のパラメータとして上記Ｂｌｕｅｔｏｏｔｈデバイスの動作パラメータと所定の操作方法との組合わせを記憶することを特徴とする請求項１記載の通信装置。
【請求項３】
上記記憶部は、複数の所定のパラメータに対し、上記所定の操作方法として上記操作ボタンを押している期間の長短に応じて複数の組合わせを記憶し、
上記設定部は、上記ユーザによる上記所定の操作方法として上記操作ボタンを押している期間の長短に応じて上記記憶部により記憶された複数の組合わせの内１つに基づく上記所定のパラメータを設定することを特徴とする請求項１記載の通信装置。
【請求項４】
上記記憶部は、複数の所定のパラメータに対し、上記所定の操作方法として上記操作ボタンを一度期に押す回数の違いに応じて複数の組合わせを記憶し、
上記設定部は、上記ユーザによる上記所定の操作方法として上記操作ボタンを一度期に押す回数の違いに応じて上記記憶部により記憶された複数の組合わせの内１つに基づく上記所定のパラメータを設定することを特徴とする請求項１記載の通信装置。
【請求項５】
ユーザに操作させるための操作ボタンを用いた上記ユーザによる上記操作ボタンの所定の操作方法と、所定のパラメータとの組合わせを記憶装置に記憶する記憶工程と、
上記ユーザにより上記所定の操作方法で上記操作ボタンが操作された場合に、上記記憶工程により記憶された組合わせを上記記憶装置から読み出し、読み出された組合わせに基づいて上記所定のパラメータを設定する設定工程と、
上記設定工程により設定された上記所定のパラメータに基づいて外部と通信する通信工程と
を備えたことを特徴とする通信方法。
【発明の詳細な説明】
【０００１】
【発明の属する技術分野】
本発明は、通信装置に関するものである。特に、ブルートゥース（Ｂｌｕｅｔｏｏｔｈ）デバイスを搭載した無線装置に関するものである。
【０００２】
【従来の技術】
従来のＢｌｕｅｔｏｏｔｈデバイスを搭載した無線装置において、Ｂｌｕｅｔｏｏｔｈデバイスの動作を変更するためには、Ｂｌｕｅｔｏｏｔｈ通信を開始する前にユーザがあらかじめＢｌｕｅｔｏｏｔｈデバイスの動作パラメータを変更しておく必要がある。そして、ユーザが動作パラメータを変更してＢｌｕｅｔｏｏｔｈ通信を行うたびに、設定画面の立ち上げ、パラメータの入力、記憶、設定、画面の立ち下げといった一連の操作を実施する必要があった。
【０００３】
また、その他、Ｂｌｕｅｔｏｏｔｈに関した先行技術として、問い合わせ手順の開始／終了の制御を行うことにより、消費電力を低減するとともに、制御手順を簡略化し、またエンド端末を識別してデータ中継を行い通信範囲を拡大できる無線通信システムを提供することを目的とした以下のＢｌｕｅｔｏｏｔｈを搭載したシステムに関する手段が公知となっている。タイマや新幹線モードボタンは、無線リンクを確立するための問い合わせスキャン実行指示手段である。この問い合わせスキャン実行指示手段は問い合わせメッセージのスキャンの開始／終了を指示するのみでなく、スレーブデバイスに問い合わせスキャン実行の開始／終了の指示を通知するために、この情報を指示中継通知手段に伝えるパスを有している。さらに、ＰＤＡ型携帯電話はスレーブデバイスの識別情報を記憶し、この識別情報をＢｌｕｅｔｏｏｔｈ中継器に通知するための識別情報通知手段を有している（特許文献１参照）。
【０００４】
【特許文献１】
特開２００１−３１３６５０号公報
【０００５】
【発明が解決しようとする課題】
ユーザがＢｌｕｅｔｏｏｔｈデバイスの動作パラメータを変更してからＢｌｕｅｔｏｏｔｈ通信を開始する場合、例えば、以下のような一例の操作をおこなう。まず第１に入力手段を操作して、Ｂｌｕｅｔｏｏｔｈ動作パラメータ設定画面を出力手段に表示させる。ここで、表示されている設定画面には、記憶装置に保存されている動作パラメータが表示される。動作パラメータは複数種類存在する場合もありえる。
【０００６】
次に、入力手段を操作して動作パラメータの変更を行うことになる。このとき変更した動作パラメータは出力手段に表示されるが、記憶装置に保存されている動作パラメータには反映されていない。また、動作パラメータが複数種類存在する場合は、それぞれについて設定を行うことになる。
【０００７】
ユーザは変更した動作パラメータを記憶装置に反映させるため、入力手段を操作し動作パラメータの保存を行う。次に、Ｂｌｕｅｔｏｏｔｈ通信を開始するため、入力手段を操作して設定画面を閉じ、代わりにＢｌｕｅｔｏｏｔｈ操作メニュー画面を出力手段に表示する。ユーザはＢｌｕｅｔｏｏｔｈ操作メニュー画面に表示されているＢｌｕｅｔｏｏｔｈ通信開始項目を選択し、変更した動作パラメータを用いてＢｌｕｅｔｏｏｔｈ通信を実施する。
以上のように、従来、Ｂｌｕｅｔｏｏｔｈデバイスを搭載した無線装置は、Ｂｌｕｅｔｏｏｔｈ通信実行時の動作パラメータをユーザが動作パラメータを変更するためには、Ｂｌｕｅｔｏｏｔｈデバイスを利用する前にあらかじめ動作パラメータの設定を変更し直しておく必要がある。ユーザが動作パラメータを変更してＢｌｕｅｔｏｏｔｈ通信を行うたびにこの一連の操作を実施する必要があるため、動作パラメータの変更操作は、ユーザの操作手順の長大化を招き、無線装置の操作性、利便性を損なう問題点となっている。
【０００８】
本発明は、ユーザの操作手順の長大化を招き、通信装置の操作性、利便性を損なうことのない通信装置を提供することを目的とする。
【０００９】
【課題を解決するための手段】
この発明に係る通信装置は、ユーザに操作させるための操作ボタンと、
上記ユーザによる上記操作ボタンの所定の操作方法と、所定のパラメータとの組合わせを記憶する記憶部と、
上記ユーザにより上記所定の操作方法で上記操作ボタンが操作された場合に、上記記憶部により記憶された組合わせに基づいて上記所定のパラメータを設定する設定部と、
上記設定部により設定された上記所定のパラメータに基づいて外部と通信する通信部と
を備えたことを特徴とする。
【００１０】
【発明の実施の形態】
実施の形態１．
図１は、本実施の形態１におけるＢｌｕｅｔｏｏｔｈ搭載無線装置の構成を示す図である。
図２は、動作パラメータとボタン操作方法の組み合わせを設定するための操作手順を示す図である。
図３は、Ｂｌｕｅｔｏｏｔｈデバイス使用時の操作手順を示す図である。
図４は、本実施の形態１における動作パラメータとボタン操作方法の組み合わせ設定例を示す図である。
【００１１】
図１において、通信装置の一例として、Ｂｌｕｅｔｏｏｔｈを搭載した無線装置２０は、Ｂｌｕｅｔｏｏｔｈアンテナ２１、Ｂｌｕｅｔｏｏｔｈモジュール２２、出力手段２３、入力手段２４、Ｂｌｕｅｔｏｏｔｈ制御部２５、無線装置制御部２６、記憶装置２７、操作ボタン２８を備えている。
【００１２】
操作ボタン２８は、ユーザにＢｌｕｅｔｏｏｔｈを操作させるためのボタンである。
【００１３】
記憶部の一例として、記憶装置２７は、Ｂｌｕｅｔｏｏｔｈ動作パラメータを記憶する。また、記憶装置２７は、上記ユーザによる上記操作ボタン２８の所定の操作方法と、所定のパラメータとの組合わせを記憶する。記憶装置２７は、所定のパラメータとしてＢｌｕｅｔｏｏｔｈデバイスの動作パラメータと所定の操作方法との組合わせを記憶する。
【００１４】
設定部の一例として、Ｂｌｕｅｔｏｏｔｈ制御部２５は、上記ユーザにより上記所定の操作方法で上記操作ボタンが操作された場合に、上記記憶装置２７により記憶された組合わせに基づいて上記所定のパラメータを設定する。
【００１５】
通信部の一例として、Ｂｌｕｅｔｏｏｔｈモジュール２２は、上記Ｂｌｕｅｔｏｏｔｈ制御部２５により設定された上記所定のパラメータに基づいてＢｌｕｅｔｏｏｔｈアンテナ２１を介して外部と通信する。Ｂｌｕｅｔｏｏｔｈモジュール２２は、Ｂｌｕｅｔｏｏｔｈデバイスを備えている。
【００１６】
以下、詳細な動作を説明する。
ユーザは、Ｂｌｕｅｔｏｏｔｈデバイスを使用する前に動作パラメータとボタン操作を設定しておく。設定を行うには、まず入力手段２４を操作して、Ｂｌｕｅｔｏｏｔｈ設定画面を出力手段２３に表示させる（ステップ２００）。ここで、出力手段２３に表示されている設定画面には、記憶装置２７に保存されている動作パラメータ設定と対応するボタン操作方法が表示される。動作パラメータ設定とボタン操作方法の組み合わせ設定例は図４に示す。設定は図４に示すようにテーブル形式で記憶装置２７に保存されている。動作パラメータは複数種類存在することが可能である。
【００１７】
次にボタン操作方法と動作パラメータを設定する（ステップ２０１）。ボタン操作方法と動作パラメータ設定の組み合わせは複数設定可能であるが、ボタン操作方法と動作パラメータ設定は１対１で対応する必要がある。本実施の形態では、Ｂｌｕｅｔｏｏｔｈ通信時に使用する動作パラメータの一つである問い合わせ（Ｉｎｑｕｉｒｙ）時間を設定する。例えば、Ｂｌｕｅｔｏｏｔｈ操作ボタン２８を長く押すという操作方法と長い問い合わせ時間という動作パラメータ設定の組み合わせと、操作ボタン２８を短く押すという操作方法と短い問い合わせ時間という動作パラメータ設定の組み合わせを設定しておく。ここで問い合わせ時間以外の動作パラメータは同じ設定とする。
【００１８】
ユーザは変更した動作パラメータとボタン操作方法の組み合わせ設定を記憶装置２７に反映させるため、入力手段２４を操作し設定の保存を行う（ステップ２０２）。すなわち、無線装置制御部２６は、入力手段２４を介して操作された設定を記憶装置２７に記憶させる。記憶装置２７は、複数の所定のパラメータに対し、上記所定の操作方法として上記操作ボタンを押している期間の長短に応じて複数の組合わせを記憶する。
設定の保存を行ったら入力手段２４を操作し設定画面を閉じる（ステップ２０３）。
【００１９】
ユーザがＢｌｕｅｔｏｏｔｈデバイスを使用する場合は、Ｂｌｕｅｔｏｏｔｈ操作ボタン２８を操作する（ステップ３００）。ユーザが操作ボタン２８を操作すると、Ｂｌｕｅｔｏｏｔｈ制御部２５がユーザのボタン操作方法に対応した動作パラメータを記憶装置２７より読み出す（ステップ３０１）。そして、Ｂｌｕｅｔｏｏｔｈ制御部２５は、上記ユーザによる上記所定の操作方法として上記操作ボタンを押している期間の長短に応じて記憶装置２７により記憶された複数の組合わせの内１つに基づく上記所定のパラメータを設定する。Ｂｌｕｅｔｏｏｔｈ制御部２５は、Ｂｌｕｅｔｏｏｔｈモジュール２２を用いて、設定された動作パラメータに従いＢｌｕｅｔｏｏｔｈ通信を開始する（ステップ３０２）。このときユーザが操作ボタンを長く押した場合、長い問い合わせ時間を動作パラメータとし、Ｂｌｕｅｔｏｏｔｈ通信を開始する。ユーザが操作ボタンを短く押した場合、短い問い合わせ時間を動作パラメータとし、Ｂｌｕｅｔｏｏｔｈ通信を開始する。
【００２０】
ユーザがボタン操作方法を変更すると、その操作方法に対応した動作パラメータを使用するため、ユーザがＢｌｕｅｔｏｏｔｈ使用時に毎回動作パラメータを変更する必要がなくなり、ユーザの操作手順が簡略化され、操作性、利便性が向上する。
【００２１】
以上のように、本実施の形態１では、Ｂｌｕｅｔｏｏｔｈ搭載無線装置にＢｌｕｅｔｏｏｔｈデバイスを操作するための操作ボタン２８を設置し、またＢｌｕｅｔｏｏｔｈデバイスの動作パラメータと対応するボタン操作方法の組み合わせをあらかじめ複数設定しておく。そして、ユーザがＢｌｕｅｔｏｏｔｈデバイスを使用するときにはボタンを操作することによって複数ある組み合わせ設定の内の一設定を選択することによって、動作パラメータ変更時の操作手順を簡略化し、無線装置の操作性、利便性を向上させる。言いかえれば、Ｂｌｕｅｔｏｏｔｈデバイスを搭載した本実施の形態１の無線装置は、Ｂｌｕｅｔｏｏｔｈデバイスの動作を変更するためのボタンを有し、Ｂｌｕｅｔｏｏｔｈデバイスの動作を変更するためのボタンが操作されたときに、その操作の仕方によってＢｌｕｅｔｏｏｔｈデバイスの動作を変更することが出来る無線装置である。
【００２２】
実施の形態２．
実施の形態２では、Ｂｌｕｅｔｏｏｔｈ通信時の使用する動作パラメータの一つの問い合わせスキャン（Ｉｎｑｕｉｒｙ  Ｓｃａｎ）時間を設定する。無線装置２０の構成、設定するための操作手順、Ｂｌｕｅｔｏｏｔｈデバイスを使用するための操作手順は実施の形態１と同じとする。また実施の形態１と同様に、ボタン操作方法と動作パラメータの組み合わせ設定をテーブルとして記憶装置２７に保存している。
【００２３】
例えば、Ｂｌｕｅｔｏｏｔｈ操作ボタン２８を長く押すという操作方法と長い問い合わせスキャン時間という動作パラメータ設定の組み合わせと、操作ボタン２８を短く押すという操作方法と短い問い合わせスキャン時間という動作パラメータ設定の組み合わせを設定しておく。ここで問い合わせスキャン時間以外の動作パラメータは同じ設定とする。
【００２４】
このときユーザが操作ボタンを長く押した場合、長い問い合わせスキャン時間を動作パラメータとし、Ｂｌｕｅｔｏｏｔｈ通信を開始する。ユーザが操作ボタンを短く押した場合、短い問い合わせスキャン時間を動作パラメータとし、Ｂｌｕｅｔｏｏｔｈ通信を開始する。
【００２５】
以上のように、実施の形態１と同様、ユーザがボタン操作方法を変更すると、その操作方法に対応した動作パラメータを使用するため、ユーザがＢｌｕｅｔｏｏｔｈ使用時に毎回動作パラメータを変更する必要がなくなり、ユーザの操作手順が簡略化され、操作性、利便性が向上する。
【００２６】
実施の形態３．
実施の形態３では、相手Ｂｌｕｅｔｏｏｔｈ無線装置２０と以前に通信したことがあるかどうかによって、Ｂｌｕｅｔｏｏｔｈ通信時の動作を変更する。無線装置２０の構成、設定するための操作手順、Ｂｌｕｅｔｏｏｔｈデバイスを使用するための操作手順は実施の形態１と同じとする。また実施の形態１と同様に、ボタン操作方法と動作パラメータの組み合わせ設定をテーブルとして記憶装置２７に保存している。
【００２７】
例えば、Ｂｌｕｅｔｏｏｔｈ操作ボタン２８を長く押すという操作方法と以前通信したことがある相手無線装置ならば無条件に通信を実施するという動作パラメータ設定の組み合わせと、Ｂｌｕｅｔｏｏｔｈ操作ボタン２８を短く押すという操作方法と以前通信したことがある相手無線装置でも相手無線装置の名前確認を行うという動作パラメータ設定の組み合わせを設定しておく。
【００２８】
このとき、ユーザが操作ボタン２８を長く押した場合、相手無線装置が以前に通信したことがあるならばユーザが相手無線装置の確認を行うことなくＢｌｕｅｔｏｏｔｈ通信を実施する。ユーザが操作ボタンを短く押した場合、相手無線装置が以前に通信したことがあってもユーザが相手無線装置の名前確認を行ってからＢｌｕｅｔｏｏｔｈ通信を実施する。
【００２９】
以上のように、上記各実施の形態と同様、ユーザがボタン操作方法を変更すると、その操作方法に対応した動作パラメータを使用するため、ユーザがＢｌｕｅｔｏｏｔｈ使用時に毎回動作パラメータを変更する必要がなくなり、ユーザの操作手順が簡略化され、操作性、利便性が向上する。
【００３０】
実施の形態４．
実施の形態４では、Ｂｌｕｅｔｏｏｔｈ通信時における認証動作を行う、行わないを変更する。無線装置２０の構成、設定するための操作手順、Ｂｌｕｅｔｏｏｔｈデバイスを使用するための操作手順は実施の形態１と同じとする。また実施の形態１と同様に、ボタン操作方法と動作パラメータの組み合わせ設定をテーブルとして記憶装置２７に保存している。
【００３１】
例えば、Ｂｌｕｅｔｏｏｔｈ操作ボタン２８を長く押すという操作方法とＢｌｕｅｔｏｏｔｈ通信時の認証を行うという動作パラメータ設定の組み合わせと、Ｂｌｕｅｔｏｏｔｈ操作ボタン２８を短く押すという操作方法とＢｌｕｅｔｏｏｔｈ通信時の認証を行わないという動作パラメータ設定の組み合わせを設定しておく。
【００３２】
このときユーザが操作ボタンを長く押した場合、Ｂｌｕｅｔｏｏｔｈ通信時には認証を行う。ユーザが操作ボタンを短く押した場合、Ｂｌｕｅｔｏｏｔｈ通信時には認証を行わない。
【００３３】
以上のように、上記各実施の形態と同様、ユーザがボタン操作方法を変更すると、その操作方法に対応した動作パラメータを使用するため、ユーザがＢｌｕｅｔｏｏｔｈ使用時に毎回動作パラメータを変更する必要がなくなり、ユーザの操作手順が簡略化され、操作性、利便性が向上する。
【００３４】
実施の形態５．
実施の形態５では、Ｂｌｕｅｔｏｏｔｈ通信時に相手無線装置が提供するサービス種類を取得したときの動作を変更する。無線装置２０の構成、設定するための操作手順、Ｂｌｕｅｔｏｏｔｈデバイスを使用するための操作手順は実施の形態１と同じとする。また実施の形態１と同様に、ボタン操作方法と動作パラメータの組み合わせ設定をテーブルとして記憶装置２７に保存している。
【００３５】
例えば、Ｂｌｕｅｔｏｏｔｈ操作ボタン２８を長く押すという操作方法と相手無線装置が例えばＲＦＣＯＭＭサービスを提供していたら無条件でＢｌｕｅｔｏｏｔｈ通信を継続するという動作パラメータ設定の組み合わせと、Ｂｌｕｅｔｏｏｔｈ操作ボタン２８を短く押すという操作方法と相手無線装置が提供するサービスをユーザに確認するという動作パラメータ設定の組み合わせを設定しておく。
【００３６】
このときユーザが操作ボタンを長く押した場合、相手無線装置がＲＦＣＯＭＭを提供していたら、ユーザに確認することなくＲＦＣＯＭＭサービスを受けるというＢｌｕｅｔｏｏｔｈ通信動作を行う。ユーザが操作ボタンを短く押した場合、相手無線装置がＲＦＣＯＭＭを提供していても、ユーザが相手が提供するサービスを確認するというＢｌｕｅｔｏｏｔｈ通信動作を行う。
【００３７】
以上のように、上記各実施の形態と同様、ユーザがボタン操作方法を変更すると、その操作方法に対応した動作パラメータを使用するため、ユーザがＢｌｕｅｔｏｏｔｈ使用時に毎回動作パラメータを変更する必要がなくなり、ユーザの操作手順が簡略化され、操作性、利便性が向上する。
【００３８】
実施の形態６．
実施の形態６では、Ｂｌｕｅｔｏｏｔｈ通信時における問い合わせ動作を行うモードと問い合わせスキャン動作を行うモードを変更する。無線装置２０の構成、設定するための操作手順、Ｂｌｕｅｔｏｏｔｈデバイスを使用するための操作手順は実施の形態１と同じとする。また実施の形態１と同様に、ボタン操作方法と動作パラメータの組み合わせ設定をテーブルとして記憶装置２７に保存している。
【００３９】
例えば、Ｂｌｕｅｔｏｏｔｈ操作ボタン２８を長く押すという操作方法と問い合わせ動作を行うという動作パラメータの組み合わせと、Ｂｌｕｅｔｏｏｔｈ操作ボタン２８を短く押すという操作方法と問い合わせスキャン動作を行うという動作パラメータの組み合わせを設定する。
【００４０】
このときユーザが操作ボタンを長く押した場合、Ｂｌｕｅｔｏｏｔｈ搭載無線装置は問い合わせ動作を行う。ユーザが操作ボタンを短く押した場合、Ｂｌｕｅｔｏｏｔｈ搭載無線装置は問い合わせスキャン動作を行う。
【００４１】
以上のように、上記各実施の形態と同様、ユーザがボタン操作方法を変更すると、その操作方法に対応した動作パラメータを使用するため、ユーザがＢｌｕｅｔｏｏｔｈ使用時に毎回動作パラメータを変更する必要がなくなり、ユーザの操作手順が簡略化され、操作性、利便性が向上する。
【００４２】
実施の形態７．
実施形態１から実施形態６までは、ボタン操作方法による動作パラメータの違いはひとつだけであったが、ボタン操作方法により動作パラメータを複数変更することも可能である。無線装置２０の構成、設定するための操作手順、Ｂｌｕｅｔｏｏｔｈデバイスを使用するための操作手順は実施の形態１と同じとする。また実施の形態１と同様に、ボタン操作方法と動作パラメータの組み合わせ設定をテーブルとして記憶装置２７に保存している。
【００４３】
例えば、実施の形態１と実施の形態４の動作パラメータ設定を用いて、Ｂｌｕｅｔｏｏｔｈ操作ボタン２８を長く押すという操作方法と、長い問い合わせ時間という動作パラメータ及び認証を行うという動作パラメータとの組み合わせと、Ｂｌｕｅｔｏｏｔｈ操作ボタン２８を短く押すという操作方法と、短い問い合わせ時間という動作パラメータ及び認証を行わないという動作パラメータとの組み合わせを設定しておく。
【００４４】
このとき、ユーザが操作ボタン２８を長く押した場合、長い問い合わせ時間を動作パラメータとしてＢｌｕｅｔｏｏｔｈ通信を開始し、Ｂｌｕｅｔｏｏｔｈ通信時の認証は行う。ユーザが操作ボタン２８を短く押した場合、短い問い合わせ時間を動作パラメータとしてＢｌｕｅｔｏｏｔｈ通信を開始し、Ｂｌｕｅｔｏｏｔｈ通信時の認証は行わない。
【００４５】
以上のように、上記各実施の形態と同様、ユーザがボタン操作方法を変更すると、その操作方法に対応した動作パラメータを使用するため、ユーザがＢｌｕｅｔｏｏｔｈ使用時に毎回動作パラメータを変更する必要がなくなり、ユーザの操作手順が簡略化され、操作性、利便性が向上する。また、複数の動作パラメータを一度の操作で設定が変更されるため、さらに、ユーザの操作手順が簡略化され、操作性、利便性が向上する。
【００４６】
以上の実施の形態１〜７は一例である。Ｂｌｕｅｔｏｏｔｈ操作ボタン２８の操作方法は、長く押す及び短く押すだけでなく、１回だけ押す及び２回連続で押す等の操作でもよい。またボタン操作方法と動作パラメータの組み合わせは、２つだけでなく３つ以上設定してもよい。
すなわち、上記記憶部の一例である記憶装置２７は、複数の所定のパラメータに対し、上記所定の操作方法として上記操作ボタンを一度期に押す回数の違いに応じて複数の組合わせを記憶する。そして、上記設定部の一例であるＢｌｕｅｔｏｏｔｈ制御部２５は、上記ユーザによる上記所定の操作方法として上記操作ボタンを一度期に押す回数の違いに応じて上記記憶装置２７により記憶された複数の組合わせの内１つに基づく上記所定のパラメータを設定する。
【００４７】
【発明の効果】
本発明によれば、通信装置使用時のユーザの操作手順が簡略化され、通信装置の操作性、利便性が向上するため、実用的効果がある。
【図面の簡単な説明】
【図１】本実施の形態１におけるＢｌｕｅｔｏｏｔｈ搭載無線装置の構成を示す図である。
【図２】動作パラメータとボタン操作方法の組み合わせを設定するための操作手順を示す図である。
【図３】Ｂｌｕｅｔｏｏｔｈデバイス使用時の操作手順を示す図である。
【図４】本実施の形態１における動作パラメータとボタン操作方法の組み合わせ設定例を示す図である。
【符号の説明】
２０  無線装置、２１  Ｂｌｕｅｔｏｏｔｈアンテナ、２２  Ｂｌｕｅｔｏｏｔｈモジュール、２３  出力手段、２４  入力手段、２５  Ｂｌｕｅｔｏｏｔｈ制御部、２６  無線装置制御部、２７  記憶装置、２８  操作ボタン。
【図１】
2004274343.tif 000003
【図２】
2004274343.tif 000004
【図３】
2004274343.tif 000005
【図４】
2004274343.tif 000006